(57)【要約】      （修正有）【課題】家事を行う人が台所などの文具を置いておくスペースが少ない場所で仕事を行う場合に、片手でメモを書き込み、片手で容易にメモ自体を切り離すことができるメモ帳保持具を提供する。【解決手段】磁力を備える板状のマグネットベース２と、マグネットベースの正面に配設された帯体３が、左右端においてマグネットベースの両側縁と固定されると共に、マグネットベースの正面部分との間に隙間８を設けてなり、帯体の隙間にメモ帳９の裏表紙を挿通してメモ帳を保持する。冷蔵庫の扉面等の強磁性体からなる壁面に、磁力によりメモ帳と筆記具を固定することができ、メモ帳を便利に使用できる。【選択図】図８
0003224212.tif 000002
【実用新案登録請求の範囲】
【請求項１】
磁力を備える板状のマグネットベースと、
前記マグネットベースの正面に配設された帯体が、左右端においてマグネットベースの両側縁と固定されると共に、マグネットベースの正面部分との間にメモ帳の裏表紙が挿通可能な隙間を設けてなる
ことを特徴とするメモ帳保持具。
【請求項２】
前記マグネットベースの側面には環状に形成されたペン挿通保持部材が設けられてなる
ことを特徴とする請求項１に記載のメモ帳保持具。
【請求項３】
前記マグネットベースは、薄板状の磁石と厚紙芯とが重ね合わされてなる
ことを特徴とする請求項１または２に記載のメモ帳保持具。
【考案の詳細な説明】
【技術分野】
【０００１】
本考案は、メモ帳を保持して磁力によって強磁性体からなる壁面などに取り付けることができるメモ帳保持具に関する。
【背景技術】
【０００２】
メモ帳は、通常机上に載置して必要時にメモを取るために使用される。
【先行技術文献】
【特許文献】
【０００３】
【特許文献１】公開実用昭６３−６８４９８号公報
【考案の概要】
【考案が解決しようとする課題】
【０００４】
しかし、家庭において家事を行う人が台所などの文具を置いておくスペースが少ない場所で仕事を行う場合などは、メモ帳を身近に置いておくことができない。このような場合に、例えば台所にいながら携帯電話での話の内容をその場でメモをしたり、冷蔵庫の収容物をチェックして買い物時の買い過ぎ・買い忘れの防止の為にメモをしようとしても、離れた場所に置かれたメモ帳を取りに行く手間が必要となり、不便であった。また、メモをかたづける手間があり、外出時に必要な、書いたメモを忘れることがあった。
【課題を解決するための手段】
【０００５】
そこで、上記課題を解決するための手段として本考案に係るメモ帳保持具は、磁力を備える板状のマグネットベースと、前記マグネットベースの正面に配設された帯体が、左右端においてマグネットベースの両側縁と固定されると共に、マグネットベースの正面部分との間にメモ帳の裏表紙が挿通可能な隙間を設けてなることを特徴とする。これにより、前記帯体は、前記隙間にメモ帳のメモ紙と上端部で固定されて下端においてメモ紙から拡開できる裏表紙を挿通することにより、裏表紙とメモ紙との固定端を帯体の上端に架け渡して掛け止めることができるので、マグネットベースを垂直に立てても、前記メモ帳を保持することができる。
【０００６】
また、前記マグネットベースの側面には環状に形成されたペン挿通保持部材が設けられてなるものであっても好ましい。ペン挿通保持部材が設けられてなることによって、メモを取りたいときに、ペンも身近に置いておくことができるため、メモ帳への書き込み動作を迅速に行うことができる。
【０００７】
さらに、前記マグネットベースは、薄板状の磁石と厚紙芯とが重ね合わされてなるものであっても好ましい。厚紙芯を薄板状の磁石と重ね合わせることによって、マグネットベースの剛性を高めることができ、例えばメモ帳保持具を格子状の隙間の多い壁面に取り付けた際にもメモを取るときの筆圧に対する変形を防止して安定に文字を記入することができる。
【考案の効果】
【０００８】
本考案によれば、冷蔵庫の扉面等の強磁性体からなる壁面にメモ帳を保持することができるため、卓上のような水平面からなるスペースのない場所にもメモ帳を身近に置いておくことができる。
【０００９】
また、メモ帳と筆記具をセットしてマグネットベースにて壁面や冷蔵庫の扉面に固定することで、片手でメモを書き、メモ自体を片手で容易に切り離すこと可能とした。これにより、メモをしてすぐに切り離し、携帯することが出来るのでメモ自体を忘れる事象を防止することが可能となる。
【図面の簡単な説明】
【００１０】
【図１】メモ帳保持具１の正面図である。
【図２】メモ帳保持具１の背面図である。
【図３】メモ帳保持具１の平面図である。
【図４】メモ帳保持具１の右側面図である。
【図５】メモ帳保持具１の縦断面の構造を示すＡ−Ａ断面図である。
【図６】メモ帳保持具１の帯体及びペン挿通保持部材の取付構造を示すＢ−Ｂ部分拡大図である。
【図７】メモ帳保持具１の上部縦断面の構造を示すＣ−Ｃ断面図である。
【図８】メモ帳保持具１にメモ帳及びペンを保持する方法を示す斜視図である。
【図９】メモ帳及びペンを保持した状態のメモ帳保持具１を冷蔵庫の扉面に固定して使用する様子を示す図である。
【図１０】書き込んだメモをメモ帳から片手で切り離す様子を示す図である。
【考案を実施するための形態】
【００１１】
以下、本考案に係る実施の形態を、図を参照しながら詳しく説明する。なお、本明細書及び図面において、実質的に同一の機能構成を有する構成要素については、同一の符号を付することにより重複説明を省略する
【００１２】
図１〜４は、本考案に係るメモ帳保持具１の外観の一例を示す図である。これらの図によれば、メモ帳保持具１は、磁力を備える板状のマグネットベース２と、マグネットベース２の正面に配設された帯体３とを有する。マグネットベース２は、本実施の形態において図５及び図７に示すように、薄板状の永久磁石４と厚紙芯５とが重ね合わされてなる積層構造に樹脂製の背面板６と前記積層構造の周面及び正面を一体に覆う樹脂製の被覆膜７によって覆われてなる。
【００１３】
ここで厚紙芯５を薄板状の永久磁石４と重ね合わせることによって、マグネットベース２の剛性を高めることができ、例えばメモ帳保持具１を格子状の隙間の多い壁面に取り付けた際にもメモを取るときの筆圧に対する変形を防止して安定に文字を記入することができる。
【００１４】
また帯体３は、本実施の形態において幅広の透明樹脂によって形成されてなり、帯体３の左右端は図６に示すようにマグネットベース２の両側縁を覆う被覆膜７の表面に固定されてなる。帯体３の左右端の固定方法としては、例えば樹脂からなる被覆膜７と帯体３とを熱融着によって固定することができる。
【００１５】
帯体３は、マグネットベース２の正面部分との間に隙間８を設けてなる。図８に示すように、隙間８にメモ帳９のメモ紙と上端部で固定されて下端においてメモ紙から拡開できる裏表紙１０を挿通することにより、裏表紙１０とメモ紙との固定端を帯体３の上端に架け渡して掛け止めることができるので、マグネットベース２を垂直に立てても、メモ帳９を保持することができる。
【００１６】
マグネットベース２の側面には、図１及び図６に示すように、環状に形成された樹脂からなるペン挿通保持部材１１が設けられてなるものであっても好ましい。ペン挿通保持部材１１にペン１２を挿し込んで、クリップで挟んで固定することができる。ペン挿通保持部材１１が設けられてなることによって、メモを取りたいときに、ペン１２も身近に置いておくことができるため、メモ帳９への書き込み動作を迅速に行うことができる。なお、ペン挿通保持部材１１の固定方法も、図６に示すように帯状の樹脂を環状に丸めて、両端を合わせてマグネットベース２の側面に熱融着により固定することができる。
【００１７】
メモ帳９を装着したメモ帳保持具１は、図９に示すように、鉄などの強磁性体によって形成されてなる冷蔵庫１３の扉面１４に永久磁石４の磁力によって貼り付けて使用することができる。また、メモ帳９にメモしたのち、忘れずに携帯するために、図１０に示すように、メモを書き込んだあと、すぐに片手で容易にメモを切り離すことが出来るため、外出時にメモ自体を忘れる事象を防止することが出来る。
【符号の説明】
【００１８】
１  メモ帳保持具
２  マグネットベース
３  帯体
４  永久磁石
８  隙間
９  メモ帳
【図１】
0003224212.tif 000003
【図２】
0003224212.tif 000004
【図３】
0003224212.tif 000005
【図４】
0003224212.tif 000006
【図５】
0003224212.tif 000007
【図６】
0003224212.tif 000008
【図７】
0003224212.tif 000009
【図８】
0003224212.tif 000010
【図９】
0003224212.tif 000011
【図１０】
0003224212.tif 000012